(57)【要約】【課題】この発明は、円柱形状体の被加工物にでも直接に、簡易に、かつ強固に取り付けることができる携帯用切断機の取付装置を得る。【解決手段】携帯用切断機２０の取付腕２５を第１軸４周りに回動自在に支持する支持部３が上部側に設けられたベースフレーム２と、支持部３から第１軸４の軸心方向に所定距離離れて、ベースフレーム２から第１軸４の軸心方向と直交する方向に延設され、上部側に凸状の断面円弧状の固定側把持部７が延設方向の略中央部に形成された固定側取付板６と、一端側がベースフレーム２の固定側取付板６の延設基部の下部に第１軸４と平行な第２軸１２周りに回動自在に取り付けられ、固定側把持部７側に凹状の断面円弧状に形成されて第２軸１２周りの回動により固定側把持部７との間に形成される開口面積を縮小／拡大する可動側把持部１１を有する可動側取付板９と、可動側取付板９を固定側取付板６に固定する固定手段と、を備える。【選択図】図４
2008264909.tif 000002
【特許請求の範囲】
【請求項１】
携帯用切断機の端部を第１軸周りに回動自在に支持する支持部が上部側に設けられたベースフレームと、
上記支持部から上記第１軸の軸心方向に所定距離離れて、上記ベースフレームから上記第１軸の軸心方向と直交する方向に延設され、上部側に凸状の断面円弧状の固定側把持部が延設方向の略中央部に形成された固定側取付板と、
一端側が上記ベースフレームの上記固定側取付板の延設基部の下部に上記第１軸と平行な第２軸周りに回動自在に取り付けられ、上記固定側把持部側に凹状の断面円弧状に形成されて上記第２軸周りの回動により上記固定側把持部との間に形成される開口面積を縮小／拡大する可動側把持部を有する可動側取付板と、
上記可動側取付板の上記第２軸周りの回動状態を維持して該可動側取付板を上記固定側取付板に固定する固定手段と、を備えたことを特徴とする携帯用切断機の取付装置。
【請求項２】
上記固定手段は、上記固定側取付板の延設方向の先端側下部から上記可動側取付板の他端側を挟むように延設された一対の腕部と、上記一対の腕部に上記第２軸の軸心を中心とする同一円周上に所定のピッチで穿設された複数の第１貫通孔と、上記可動側取付板の他端側に上記第２軸の軸心を中心とする上記同一円周上に穿設された第２貫通孔と、上記第１貫通孔および上記第２貫通孔に挿通される締着ボルトと、上記締着ボルトに螺着されるナットと、から構成されることを特徴とする請求項１記載の携帯用切断機の取付装置。
【請求項３】
上記可動側把持部の断面円弧状の曲率半径が、上記固定側把持部の断面円弧状の曲率半径より大きいことを特徴とする請求項１又は請求項２記載の携帯用切断機の取付装置。
【請求項４】
弾性部材が上記固定側把持部および上記可動側把持部の内周壁面に装着されていることを特徴とする請求項１乃至請求項３のいずれか１項に記載の携帯用切断機の取付装置。
【発明の詳細な説明】
【技術分野】
【０００１】
この発明は、携帯用切断機を被加工物に取り付けるための携帯用切断機の取付装置に関し、特に円柱形状体の被加工物に携帯用切断機を取り付けるための携帯用切断機の取付装置に関するものである。
【背景技術】
【０００２】
従来の携帯用切断機には、被加工物をベースフレームのベット上に固定するためのバイス装置が装備されている。このバイス装置は、ベット上に固定バイスとブラケット部材とを配置して、ブラケット部材に挿通する送りシャフトの一端部に係着され、ベット上を前進して被加工物を固定バイスにより挟持固定する可動バイスと、を備え、ブラケット部材は、ベット上に固定配置されるベースブラケットと、揺動ピンによってベースブラケットに揺動自在に支承された揺動ブロックと、からなる。揺動ブロックには、送りシャフトが貫通する貫通孔が形成されており、貫通孔の天部部位に形成された円弧形状周縁部、および貫通孔の底部部位に、送りシャフトに刻設された螺子部と歯合する螺子部が刻設されている（例えば、特許文献１参照）。
【０００３】
このように構成された従来の携帯用切断機では、まず、バイス装置のベースフレームを固定構造体上に載置し、被加工物を固定バイスと可動バイスとの間に配置し、送りシャフトを回転させて可動バイスを固定バイス側に移動させて、被加工物を固定バイスと可動バイスとで挟持固定していた。そして、ベースフレームの一端に軸受部を介して回動自在に取り付けられている携帯用切断機を軸受部の軸心周りに回動させて、固定バイスと可動バイスとで挟持固定されている被加工物を切断していた。
【０００４】
【特許文献１】特開２０００−１５５１８号公報
【発明の開示】
【発明が解決しようとする課題】
【０００５】
従来の携帯用切断機においては、バイス装置が安定して据え付けられる固定構造体が必要であり、例えばエレベータやエスカレータの解体工事における電動機の駆動軸やプランジャなどの大径の円筒形状体を切断する用途には適用できなかった。そこで、作業者が、手動にてのこぎりで回転機の軸やプランジャなどを切断しなければならず、作業負荷が著しく大きくなるとともに、作業時間が長くなるという課題があった。
【０００６】
この発明は、上記課題を解決するためになされたもので、円柱形状体の被加工物にでも直接に、簡易に、かつ強固に取り付けることができ、固定構造体が無くとも、携帯用切断機を用いて被加工物を簡易に切断できるようにする携帯用切断機の取付装置を得ることを目的とする。
【課題を解決するための手段】
【０００７】
この発明は、携帯用切断機の端部を第１軸周りに回動自在に支持する支持部が上部側に設けられたベースフレームと、上記支持部から上記第１軸の軸心方向に所定距離離れて、上記ベースフレームから上記第１軸の軸心方向と直交する方向に延設され、上部側に凸状の断面円弧状の固定側把持部が延設方向の略中央部に形成された固定側取付板と、一端側が上記ベースフレームの上記固定側取付板の延設基部の下部に上記第１軸と平行な第２軸周りに回動自在に取り付けられ、上記固定側把持部側に凹状の断面円弧状に形成されて上記第２軸周りの回動により上記固定側把持部との間に形成される開口面積を縮小／拡大する可動側把持部を有する可動側取付板と、上記可動側取付板の上記第２軸周りの回動状態を維持して該可動側取付板を上記固定側取付板に固定する固定手段と、を備えている。
【発明の効果】
【０００８】
この発明によれば、固定側把持部と可動側把持部との間に形成される開口面積を縮小するように可動側取付板を第２軸周りに回動して、固定側把持部と可動側把持部とで被加工物を加圧挟持することにより、携帯用切断機の取付装置を被加工物に簡易に、かつ強固に取り付けることができる。この時、固定側把持部と可動側把持部とが断面円弧状に形成されているので、被加工物が円柱形状体であっても、簡易に加圧挟持できる。そこで、固定構造体が無くとも、携帯用切断機の取付装置を被加工物に直接取り付けることにより、携帯用切断機を用いて被加工物を簡易に切断できるようになる。
【発明を実施するための最良の形態】
【０００９】
以下、本願の実施例を図面に基づいて説明する。
図１はこの発明に係る携帯用切断機の取付装置を示す上面図、図２はこの発明に係る携帯用切断機の取付装置を示す正面図、図３はこの発明に係る携帯用切断機の取付装置を示す側面図、図４はこの発明に係る取付装置を用いて携帯用切断機を被加工物に取り付けた状態を説明する図、図５はこの発明に係る取付装置を用いて取り付けた携帯用切断機により被加工物を切断している状態を説明する図である。
【００１０】
図１乃至図３において、取付装置１は、後述する携帯用切断機２０を第１軸４周りに回動自在に支持する支持部３を上部に有するベースフレーム２と、支持部３から第１軸４の軸心方向に所定距離離れて、ベースフレーム２から第１軸４の軸心と直交する方向に延設された固定側取付板６と、一端がベースフレーム２の固定側取付板６の延設基部の下部に第２軸１２の軸心と平行な軸５周りに回動自在に取り付けられた可動側取付板９と、回動状態を維持して可動側取付板９を固定側取付板６に固定する固定手段と、を備えている。
【００１１】
支持部３は、鋼板をＵ字状に折り曲げ成形して作製されている。そして、一対の貫通孔３ａが支持部３のＵ字状の相対する両側辺の先端側に孔中心を一致させて穿設されている。第１軸４が一対の貫通孔３ａに嵌装されている。さらに、一対の貫通孔３ｂが支持部３のＵ字状の相対する両側辺に、貫通孔３ａの底辺側に孔中心を一致させて穿設されている。円柱状のストッパ５が一対の貫通孔３ｂに嵌装されている。支持部３は、底辺をベースフレーム２の上面に固着して取り付けられている。
【００１２】
固定側取付板６は、鋼板を所定幅のＬ字状に成形してベースフレーム２と一体に作製され、上方に凸状の断面円弧状の固定側把持部７がベースフレーム２からの延設方向の略中央部に屈曲成形されている。さらに、鋼板を平板状に成形してなる補強板８が、固定側取付板６のベースフレーム２からの延設方向と直交する方向、即ち幅方向の中央位置に、固定側把持部７の外周壁面の両側の部位と固定側取付板６の固定側把持部７に近接する部位の上面とに密接し、かつ固定側把持部７の上面に対して垂直にして、溶接などにより固着されている。
【００１３】
可動側取付板９は、鋼板を長尺の矩形平板状に成形された基部１０と、鋼板を断面円弧状に折り曲げ成形して作製され、断面円弧状の軸心方向に所定の長さを有する可動側把持部１１と、を備えている。そして、基部１０の長辺で構成される側面の長さ方向中央部が、可動側把持部１１の断面円弧状の外周壁面形状に沿うように凹状に形成されている。そして、可動側把持部１１が、その断面円弧状の軸心方向の略中央部の外周壁面を、基部１０の長辺で構成される側面の長さ方向中央部の凹面に密接させて、かつ基部１０の主面に垂直にして、溶接などにより固着されている。ここで、断面円弧状の可動側把持部１１の軸心方向の長さは、固定側把持部７の幅長さと略等しくなっている。
【００１４】
この可動側取付板９は、可動側把持部１１の内周壁面を固定側把持部７側に向けて、基部１０の一端を、ベースフレーム２の固定側取付板６の延設基部の下面に立設された一対の取付腕１３間に挿入され、第２軸１２により回動自在に取り付けられている。基部１０の他端には、操作ハンドル１４が取り付けられている。
【００１５】
固定手段は、固定側取付板６の延設方向の先端側下面から、基部１０の板厚と略一致する隙間をあけて相対して下方に延設され、第１貫通孔１５ａが第２軸１２の軸心を中心とする同一円周上に所定のピッチで複数穿設されている一対の腕部１５と、可動側取付板９の基部１０の他端側に、第２軸１２の軸心を中心とする第１貫通孔１５ａと同じ円周上に穿設された第２貫通孔１０ａと、第１および第２貫通孔１５ａ，１０ａに挿通されて可動側取付板９と腕部１５とを締着固定する締着ボルト１６およびナット１７と、から構成されている。
また、ゴム製の弾性部材１８が固定側把持部７および可動側把持部１１の内周壁面に装着されている。
【００１６】
このように構成された取付装置１は、第１軸４と第２軸１２との軸心が平行であり、支持部３と固定側取付板６とが第１軸４および第２軸１２の軸心方向に所定距離離間している。また、補強板８と可動側取付板９の基部１０とが第１軸４および第２軸１２の軸心と直交する同一平面上に位置している。固定側把持部７は、略半円の断面円弧状に形成されている。そして、可動側把持部１１の断面円弧状の曲率半径は、固定側把持部７の断面円弧状の曲率半径より大きくなっている。さらに、固定側把持部７および可動側把持部１１の軸心方向は、第１軸４および第２軸１２の軸心と平行となっている。そして、可動側取付板９が、第２軸１２周りに回動し、固定側把持部７と可動側把持部１１とで構成される開口面積が縮小、拡大される。
【００１７】
携帯用切断機２０は、図４に示されるように、平鋼、山形鋼、電線管などの被加工物を工事現場などで切断加工する電動工具として市販されている高速カッターであり、図示しないモータにより回転駆動される回転円盤砥石２１と、回転円盤砥石２１を覆う砥石カバー２３と、操作ハンドル２４と、取付腕２５と、を備えている。また、係止突起２６が上述するストッパ５に係合可能に取付腕２５に形成されている。
このように構成された携帯用切断機２０は、取付腕２５の先端を支持部３のＵ字状の相対する側辺間に挿入し、一対の貫通孔３ａに装着された第１軸４により回動可能に取り付けられる。
【００１８】
つぎに、この取付装置１を用いた携帯用切断機２０による被加工物の切断方法を、エレベータの解体工事における電動機の駆動軸の切断に適用した場合について説明する。
まず、締着ボルト１６およびナット１７を取り外し、固定側把持部７内に電動機の駆動軸３０が入るように取付装置１を配置する。ついで、操作ハンドル１４を持って、可動側取付板９を図４中時計回りに回動する。そして、固定側把持部７と可動側把持部１１とで駆動軸３０を加圧挟持した状態で、締着ボルト１６を第１および第２貫通孔１５ａ，１０ａに挿通し、ナット１７を締着ボルト１６に締着する。これにより、図４に示されるように、取付装置１が駆動軸３０に取り付けられる。この時、弾性部材１８が圧縮状態となり、取付装置１の駆動軸３０周りの回動が阻止される。なお、支持部３が駆動軸３０の切り落とし側に位置するように、取付装置１は配置される。
【００１９】
ついで、携帯用切断機２０の取付腕２５の先端を支持部３のＵ字状の相対する側辺間に挿入し、第１軸４を一対の貫通孔３ａに装着し、携帯用切断機２０が図４に示されるように取付装置１に取り付けられる。
そして、モータにより回転円盤砥石２１を回転駆動し、操作ハンドル２４を持って、携帯用切断機２０を図４中反時計回りに回動する。これにより、図５に示されるように、回転円盤砥石２１による駆動軸３０の切断が行われる。そして、係止突起２６がストッパ５に係合すると、携帯用切断機２０のそれ以上の回動が阻止される。そこで、モータによる回転円盤砥石２１の回転を停止する。この時、駆動軸３０が完全に切断されていない場合には、締着ボルト１６およびナット１７による可動側取付板９の固定を解除し、取付装置１の駆動軸３０に対する取付角度を変えて、再度、回転円盤砥石２１による駆動軸３０の切断を行うことになる。
【００２０】
このように、この取付装置１によれば、携帯用切断機２０の取付腕２５の端部を第１軸４周りに回動自在に支持する支持部３が上部側に設けられたベースフレーム２と、支持部３から第１軸４の軸心方向に所定距離離れて、ベースフレーム２から第１軸４の軸心方向と直交する方向に延設され、上部側に凸状の断面円弧状の固定側把持部７が延設方向の略中央部に形成された固定側取付板６と、一端側がベースフレーム２の固定側取付板６の延設基部の下部に第１軸４と平行な第２軸１２周りに回動自在に取り付けられ、固定側把持部７側に凹状の断面円弧状に形成されて第２軸１２周りの回動により固定側把持部７との間に形成される開口面積を縮小／拡大する可動側把持部１１を有する可動側取付板９と、可動側取付板９の第２軸１２周りの回動状態を維持して可動側取付板９を固定側取付板６に固定する固定手段と、を備えている。そこで、固定側把持部７と可動側把持部１１との間に形成される開口面積を縮小するように可動側取付板９を第２軸１２周りに回動して、固定側把持部７と可動側把持部１１とで被加工物を加圧挟持し、この状態で可動側取付板９を固定側取付板６に固定することにより、携帯用切断機２０の取付装置１を被加工物に簡易に、かつ強固に取り付けることができる。
【００２１】
例えば、エレベータやエスカレータの解体工事においては、電動機の駆動軸やプランジャなどの切断作業があり、携帯用切断機を固定するための固定構造体がないことから、作業者が手動による鋸で切断していた。しかし、この取付装置１は、被加工物である電動機の駆動軸やプランジャに直接取り付けることができるので、電動機の駆動軸やプランジャなどの切断作業に携帯用切断機を用いることができ、切断作業の作業負荷を著しく軽減でき、作業時間を大幅に短縮できる。
【００２２】
固定手段が、固定側取付板６の延設方向の先端側下面から、基部１０の板厚と略一致する隙間をあけて相対して下方に延設され、第１貫通孔１５ａが第２軸１２の軸心を中心とする同一円周上に所定のピッチで複数穿設されている一対の腕部１５と、可動側取付板９の基部１０の他端側に、第２軸１２の軸心を中心とする第１貫通孔１５ａと同じ円周上に穿設された第２貫通孔１０ａと、第１および第２貫通孔１５ａ，１０ａに挿通されて可動側取付板９と腕部１５とを締着固定する締着ボルト１６およびナット１７と、から構成されているので、被加工物の径が変わっても、締着ボルト１６が挿通される第１貫通孔１５ａの位置を変えることで簡易に対応することができる。
【００２３】
また、可動側把持部の断面円弧状の曲率半径が固定側把持部の断面円弧状の曲率半径より大きくなっているので、被加工物の径に拘わらず、取付装置１を強固に被加工物に取り付けることができる。
また、ゴム製の弾性部材１８が固定側把持部７および可動側把持部１１の内周壁面に装着されているので、被加工物が円柱形状体であっても、滑りを抑えて、取付装置１を強固に被加工物に取り付けることができる。
【００２４】
なお、上記実施の形態では、支持部３がＵ字状に形成されているものとしているが、支持部の形状はＵ字状に限定されるものではなく、携帯用切断機２０の取付腕２５の端部形状にあわせて適宜設計されるものである。例えば、取付腕が断面コ字状に形成されていれば、支持部は取付腕の断面コ字状の隙間に挿入される板厚に形成されていればよい。
また、上記実施の形態では、回転円盤砥石をもつ携帯用切断機を用いるものとしているが、携帯用切断機は回転円盤砥石をもつものに限定されるものではなく、例えば、円形鋸歯や無端帯鋸歯をもつ携帯用切断機に適用しても良い。
【図面の簡単な説明】
【００２５】
【図１】この発明に係る携帯用切断機の取付装置を示す上面図である。
【図２】この発明に係る携帯用切断機の取付装置を示す正面図である。
【図３】この発明に係る携帯用切断機の取付装置を示す側面図である。
【図４】この発明に係る取付装置を用いて携帯用切断機を被加工物に取り付けた状態を説明する図である。
【図５】この発明に係る取付装置を用いて取り付けた携帯用切断機により被加工物を切断している状態を説明する図である。
【符号の説明】
【００２６】
１  取付装置、２  ベースフレーム、３  支持部、４  第１軸、６  固定側取付板、７  固定側把持部、９  可動側取付板、１１  可動側把持部、１０ａ  第２貫通孔（固定手段）、１２  第２軸、１５  腕部（固定手段）、１５ａ  第１貫通孔（固定手段）、１６  締着ボルト（固定手段）、１７  ナット（固定手段）、１８  弾性部材。
【図１】
2008264909.tif 000003
【図２】
2008264909.tif 000004
【図３】
2008264909.tif 000005
【図４】
2008264909.tif 000006
【図５】
2008264909.tif 000007